(57)【要約】【課題】オールアルミ熱交換器を室外熱交換器として使用する空気調和装置の室外ユニットにおいて、室外熱交換器の電解腐食、及び、室外熱交換器の上下方向の振動の両方を抑制する。【解決手段】室外ユニット（２）は、室外熱交換器（２３）の上端部（２３ａ）の近傍に配置される室外熱交上端近傍部（６２）を有する鋼製のモータ支持台（６１）を有している。ここで、室外熱交上端近傍部（６２）は、室外熱交換器（２３）の上端部（２３ａ）との上下方向間に隙間（Ｃ１）が形成されるように配置されており、室外熱交上端近傍部（６２）と室外熱交換器（２３）の上端部（２３ａ）との間には、隙間（Ｃ１）を埋めるために電気絶縁性を有する弾性部材（６７）が設けられている。【選択図】図８
2014240712.tif 000002
【特許請求の範囲】
【請求項１】
アルミニウム製またはアルミニウム合金製の伝熱管（２３１）及び伝熱フィン（２３２、２３５）によって構成されるオールアルミ熱交換器からなる室外熱交換器（２３）と、
室外ファン（３６）と、
前記室外ファンを駆動する室外ファンモータ（３７）と、
前記室外熱交換器の上端部（２３ａ）の近傍に配置される室外熱交上端近傍部（６２）を有する鋼製のモータ支持台（６１）とを備えており、
前記室外熱交上端近傍部は、前記室外熱交換器の上端部との上下方向間に隙間（Ｃ１）が形成されるように配置されており、
前記室外熱交上端近傍部と前記室外熱交換器の上端部との間には、前記隙間を埋めるために電気絶縁性を有する弾性部材（６７）が設けられている、
空気調和装置の室外ユニット（２）。
【請求項２】
前記弾性部材（６７）は、ゴム製である、
請求項１に記載の空気調和装置の室外ユニット（２）。
【請求項３】
前記室外熱交上端近傍部（６２）は、前記室外熱交換器（２３）の上端部（２３ａ）の上面に対向する上面部（６２ａ）と、前記上面部から下方に向かって延びており前記室外熱交換器の上端部の前面及び後面に対向する１対の側面部（６２ｂ、６２ｃ）とを有しており、
前記１対の側面部は、前記室外熱交換器の上端部との前後方向間に隙間（Ｃ２、Ｃ３）が形成されるように配置されている、
請求項１又は２に記載の空気調和装置の室外ユニット（２）。
【請求項４】
前記弾性部材（６７）は、前記１対の側面部（６２ｂ、６２ｃ）の前後方向間に挟まれた状態で前記室外熱交上端近傍部（６２）に保持されている、
請求項３に記載の空気調和装置の室外ユニット（２）。
【発明の詳細な説明】
【技術分野】
【０００１】
本発明は、空気調和装置の室外ユニット、特に、オールアルミ熱交換器を室外熱交換器として使用する空気調和装置の室外ユニットに関する。
【背景技術】
【０００２】
従来より、特許文献１（特開２００９−１３８９５０号公報）に示すように、ケーシング内に室外熱交換器及び室外ファンが収容された構造を有する空気調和装置の室外ユニットがある。室外ユニットでは、室外ファンを駆動する室外ファンモータがモータ支持台によって支持されており、このモータ支持台の上端部が室外熱交換器の上端部を支持している。
【０００３】
また、特許文献２（特開２００９−２８１６９３号公報）には、アルミニウム製またはアルミニウム合金製の伝熱管及び伝熱フィンによって構成されるオールアルミ熱交換器を室外熱交換器として使用する内容が示されている。
【発明の概要】
【発明が解決しようとする課題】
【０００４】
ここで、特許文献１に示される室外ユニットにおいて、特許文献２に示されるオールアルミ熱交換器を室外熱交換器として使用した構造を採用することが考えられる。
【０００５】
しかし、このような構造を採用すると、室外熱交換器がアルミニウム製であるのに対してモータ支持台が鋼製であるため、モータ支持台の上端部と室外熱交換器の上端部との接触によって、室外熱交換器の電解腐食が発生するおそれがある。
【０００６】
このような電解腐食に対して、モータ支持台の上端部と室外熱交換器の上端部との間に隙間を空けると、室外ユニットの輸送時等において、室外熱交換器の上下方向の振動が発生するおそれがある。
【０００７】
本発明の課題は、オールアルミ熱交換器を室外熱交換器として使用する空気調和装置の室外ユニットにおいて、室外熱交換器の電解腐食、及び、室外熱交換器の上下方向の振動の両方を抑制できるようにすることにある。
【課題を解決するための手段】
【０００８】
第１の観点にかかる空気調和装置の室外ユニットは、アルミニウム製またはアルミニウム合金製の伝熱管及び伝熱フィンによって構成されるオールアルミ熱交換器からなる室外熱交換器と、室外ファンと、室外ファンを駆動する室外ファンモータと、室外熱交換器の上端部の近傍に配置される室外熱交上端近傍部を有する鋼製のモータ支持台とを含んでいる。ここで、室外熱交上端近傍部は、室外熱交換器の上端部との上下方向間に隙間が形成されるように配置されており、室外熱交上端近傍部と室外熱交換器の上端部との間には、隙間を埋めるために電気絶縁性を有する弾性部材が設けられている。
【０００９】
ここでは、モータ支持台の上端部と室外熱交換器の上端部との接触を防ぎつつ、弾性部材を介してモータ支持台の上端部によって室外熱交換器の上端部の上下方向の移動を抑えることができるため、室外熱交換器の電解腐食、及び、室外熱交換器の上下方向の振動の両方を抑制することができる。
【００１０】
第２の観点にかかる空気調和装置の室外ユニットは、第１の観点にかかる空気調和装置の室外ユニットにおいて、弾性部材がゴム製である。
【００１１】
ここでは、ゴム製の弾性部材の変形を利用することができるため、室外熱交換器の上端部の上下方向の振動の抑制とともに、室外熱交換器の上端部の変形を十分に抑制することができる。
【００１２】
第３の観点にかかる空気調和装置の室外ユニットは、第１又は第２の観点にかかる空気調和装置の室外ユニットにおいて、室外熱交上端近傍部は、室外熱交換器の上端部の上面に対向する上面部と、上面部から下方に向かって延びており室外熱交換器の上端部の前面及び後面に対向する１対の側面部とを有している。そして、１対の側面部は、室外熱交換器の上端部との前後方向間に隙間が形成されるように配置されている。
【００１３】
ここでは、室外熱交上端近傍部が室外熱交換器の上端部の前面及び後面に対向する１対の側面部を有しているが、これらの１対の側面部が室外熱交換器の上端部との前後方向間に隙間を形成するように配置されているため、室外熱交上端近傍部と室外熱交換器の上端部の前面及び後面との前後方向間の接触も防ぐことができる。
【００１４】
第４の観点にかかる空気調和装置の室外ユニットは、第３の観点にかかる空気調和装置の室外ユニットにおいて、弾性部材が、１対の側面部の前後方向間に挟まれた状態で室外熱交上端近傍部に保持されている。
【００１５】
ここでは、室外熱交上端近傍部が、室外熱交換器の上端部の上面との上下方向間の接触を防ぎつつ上下方向の移動を抑えるとともに、室外熱交換器の上端部の前面及び後面との前後方向間の接触を防ぎつつ前後方向の移動を抑えることができる。
【発明の効果】
【００１６】
以上の説明に述べたように、本発明によれば、以下の効果が得られる。
【００１７】
第１の観点にかかる空気調和装置の室外ユニットでは、室外熱交換器の電解腐食、及び、室外熱交換器の上下方向の振動の両方を抑制することができる。
【００１８】
第２の観点にかかる空気調和装置の室外ユニットでは、室外熱交換器の上端部の上下方向の振動の抑制とともに、室外熱交換器の上端部の変形を十分に抑制することができる。
【００１９】
第３の観点にかかる空気調和装置の室外ユニットでは、室外熱交上端近傍部と室外熱交換器の上端部の前面及び後面との前後方向間の接触も防ぐことができる。
【００２０】
第４の観点にかかる空気調和装置の室外ユニットでは、室外熱交上端近傍部が、室外熱交換器の上端部の上面との上下方向間の接触を防ぎつつ上下方向の移動を抑えるとともに、室外熱交換器の上端部の前面及び後面との前後方向間の接触を防ぎつつ前後方向の移動を抑えることができる。
【図面の簡単な説明】
【００２１】
【図１】本発明の一実施形態にかかる室外ユニットが採用された空気調和装置の概略構成図である。
【図２】室外ユニットの外観を示す斜視図である。
【図３】室外ユニットの送風機室側側板、送風機室側前板及び天板を取り外した状態を示す斜視図である。
【図４】室外ユニットの天板を取り外した状態を示す平面図である。
【図５】室外熱交換器の概略斜視図である。
【図６】室外熱交換器の概略縦断面図である。
【図７】他の室外熱交換器の概略斜視図である。
【図８】モータ支持台の室外熱交上端近傍部、室外熱交換器の上端部及びその付近を示す断面図である。
【発明を実施するための形態】
【００２２】
以下、本発明にかかる空気調和装置の室外ユニットの実施形態について、図面に基づいて説明する。尚、本発明にかかる空気調和装置の室外ユニットの具体的な構成は、下記の実施形態に限られるものではなく、発明の要旨を逸脱しない範囲で変更可能である。
【００２３】
（１）空気調和装置の全体構成
図１は、本発明の一実施形態にかかる室外ユニット２が採用された空気調和装置１の概略構成図である。
【００２４】
空気調和装置１は、蒸気圧縮式の冷凍サイクル運転を行うことによって、ビル等の屋内の空調に使用される装置である。空気調和装置１は、主として、室外ユニット２と、室内ユニット４とが接続されることによって構成されている。ここで、室外ユニット２と室内ユニット４とは、液冷媒連絡管５及びガス冷媒連絡管６を介して接続されている。すなわち、空気調和装置１の蒸気圧縮式の冷媒回路１０は、室外ユニット２と、室内ユニット４とが冷媒連絡管５、６を介して接続されることによって構成されている。
【００２５】
＜室内ユニット＞
室内ユニット４は、室内に設置されており、冷媒回路１０の一部を構成している。この室内ユニット４は、主として、室内熱交換器４１を有している。
【００２６】
室内熱交換器４１は、冷房運転時には冷媒の蒸発器として機能して室内空気を冷却し、暖房運転時には冷媒の放熱器として機能して室内空気を加熱する熱交換器である。室内熱交換器４１の液側は液冷媒連絡管５に接続されており、室内熱交換器４１のガス側はガス冷媒連絡管６に接続されている。
【００２７】
室内ユニット４には、室内熱交換器４１に室内空気を送るための室内ファン４２が設けられている。室内ファン４２は、室内ファン用モータ４３によって駆動される。
【００２８】
＜室外ユニット＞
室外ユニット２は、室外に設置されており、冷媒回路１０の一部を構成している。室外ユニット２は、主として、圧縮機２１と、四路切換弁２２と、室外熱交換器２３と、膨張弁２６と、液側閉鎖弁２６と、ガス側閉鎖弁２７とを有している。圧縮機２１の吸入口と四路切換弁２２とは、吸入管３１によって接続されている。圧縮機２１の吐出口と四路切換弁２２とは、吐出管３２によって接続されている。四路切換弁２２と室外熱交換器２３のガス側とは、第１ガス冷媒管３３によって接続されている。室外熱交換器２３の液側と液冷媒連絡管５とは、液冷媒管３５に接続されている。そして、膨張弁２６は、液冷媒管３０に設けられている。四路切換弁２２とガス冷媒連絡管６とは、第２ガス冷媒管３４によって接続されている。
【００２９】
圧縮機２１は、吸入管３１から冷凍サイクルにおける低圧のガス冷媒を吸入し、圧縮して冷凍サイクルにおける高圧のガス冷媒とした後に、吐出管３２に吐出する圧縮機である。
【００３０】
四路切換弁２２は、冷房運転と暖房運転との切換時に、冷媒回路１０内における冷媒の流れの方向を切り換えるための弁である。四路切換弁２２は、冷房運転時には、図１の実線で示されるように、吐出管３２と第１ガス冷媒管３３とを接続するとともに吸入管３１と第２ガス冷媒管３４とを接続し、暖房運転時には、図１の破線で示されるように、吐出管３２と第２ガス冷媒管３４とを接続するとともに吸入管３１と第１ガス冷媒管３３とを接続する機能を有する。
【００３１】
室外熱交換器２３は、冷房運転時には室外空気を冷却源とする冷媒の放熱器として機能し、暖房運転時には室外空気を加熱源とする冷媒の蒸発器として機能する熱交換器である。室外熱交換器２３は、液側が液冷媒管３５に接続されており、ガス側が第１ガス冷媒管３３に接続されている。尚、ここでは、後述のように、室外熱交換器２３として、アルミニウム製またはアルミニウム合金製の伝熱管及び伝熱フィンによって構成されるオールアルミ熱交換器が使用されている。
【００３２】
膨張弁２６は、冷房運転時には室外熱交換器２３において放熱した冷媒を室内熱交換器４１に送る前に減圧し、暖房運転時には室内熱交換器４１において放熱した冷媒を室外熱交換器２３に送る前に減圧する電動膨張弁である。
【００３３】
液側閉鎖弁２７及びガス側閉鎖弁２８は、外部の機器・配管（具体的には、液冷媒連絡管５及びガス冷媒連絡管６）との接続口に設けられた弁である。液側閉鎖弁２７は、液冷媒管３５の端部に設けられている。ガス側閉鎖弁２８は、第２ガス冷媒管３４の端部に設けられている。
【００３４】
室外ユニット２には、室外熱交換器２３に室外空気を送るための室外ファン３６が設けられている。室外ファン３６は、室外ファン用モータ３７によって駆動される。
【００３５】
（２）室外ユニットの構成
次に、図２〜図８を用いて、本実施形態の室外ユニット２の構成について説明する。ここで、図２は、室外ユニット２の外観を示す斜視図である。図３は、室外ユニット２の、送風機室側側板５３、送風機室側前板５５及び天板５７を取り外した状態を示す斜視図である。図４は、室外ユニット２の天板５７を取り外した状態を示す平面図である。図５は、室外熱交換器２３の概略斜視図（平面視直線状で図示）である。図６は、室外熱交換器２３の概略縦断面図である。図７は、他の室外熱交換器の概略斜視図（平面視直線状で図示）である。図８は、モータ支持台６１の室外熱交上端近傍部６２、室外熱交換器２３の上端部２３ａ及びその付近を示す断面図である。尚、以下の説明において、「上」、「下」、「左」、「右」や「前面」、「側面」、「背面」、「天面」、「底面」等の方向や面を示す文言は、特にことわりのない限り、ファン吹出グリル５５ｂ側の面を前面とした場合における方向や面を意味する。
【００３６】
＜基本構造＞
室外ユニット２は、ユニットケーシング５１の内部が上下方向に延びる仕切板５８によって送風機室Ｓ１と機械室Ｓ２とに仕切られた構造（いわゆる、トランク型構造）を有するものである。室外ユニット２は、ユニットケーシング５１の背面及び側面の一部から室外空気を内部へと吸い込んだ後に、ユニットケーシング５１の前面から空気を排出するように構成されている。室外ユニット２は、主として、ユニットケーシング５１と、圧縮機２１、四路切換弁２２、室外熱交換器２３、膨張弁２６、閉鎖弁２７、２８、及び、これらの機器を接続する冷媒管３１〜３５を含む冷媒回路構成部品（図１参照）と、室外ファン３６及び室外ファン用モータ３７とを有している。尚、ここでは、送風機室Ｓ１がユニットケーシング５１の左側面寄りに形成され、機械室Ｓ２がユニットケーシング５１の右側面寄りに形成された例を説明するが、左右が逆であってもよい。
【００３７】
ユニットケーシング５１は、略直方体状に形成されており、主として、圧縮機２１、四路切換弁２２、室外熱交換器２３、膨張弁２６、閉鎖弁２７、２８、及び、これらの機器を接続する冷媒管３１〜３５を含む冷媒回路構成部品と、室外ファン３６及び室外ファン用モータ３７とを収容している。ユニットケーシング５１は、冷媒回路構成部品や室外ファン３６等の各種部品が載置される底フレーム５２と、送風機室側側板５３と、機械室側側板５４と、送風機室側前板５５と、機械室側前板５６と、天板５７と、据付脚５９、６０とを有している。
【００３８】
底フレーム５２は、ユニットケーシング５１の底面部分を構成する鋼製の板状部材である。
【００３９】
送風機室側側板５３は、ユニットケーシング５１の送風機室Ｓ１寄りの側面部分（ここでは、左側面部分）を構成する鋼製の板状部材である。送風機室側側板５３は、その下部が底フレーム５２に固定されている。送風機室側側板５３には、室外ファン３６によってユニットケーシング５１の側面側からユニットケーシング５１内に室外空気を吸入するための側面ファン吸入口５３ａが形成されている。
【００４０】
機械室側側板５４は、ユニットケーシング５１の機械室Ｓ２寄りの側面部分（ここでは、右側面部分）の一部と、ユニットケーシング５１の機械室Ｓ２寄りの背面部分とを構成する鋼製の板状部材である。機械室側側板５４は、その下部が底フレーム５２に固定されている。送風機室側側板５３の背面側の端部と機械室側側板５４の送風機室Ｓ１側の端部との間には、室外ファン３６によってユニットケーシング５１の背面側からユニットケーシング５１内に室外空気を吸入するためのされる背面ファン吸入口５３ｂが形成されている。
【００４１】
送風機室側前板５５は、ユニットケーシング５１の送風機室Ｓ１の前面部分を構成する鋼製の板状部材である。送風機室側前板５５は、その下部が底フレーム５２に固定され、その左側面側の端部が送風機室側側板５３の前面側の端部に固定されている。送風機室側前板５５には、室外ファン３６によってユニットケーシング５１内に吸入された室外空気を外部に吹き出すためのファン吹出口５５ａが設けられている。送風機室側前板５５の前面側には、ファン吹出口５５ａを覆うファン吹出グリル５５ｂが設けられている。
【００４２】
機械室側前板５６は、ユニットケーシング５１の機械室Ｓ２の前面部分の一部と、ユニットケーシング５１の機械室Ｓ２の側面部分の一部とを構成する鋼製の板状部材である。機械室側前板５６は、その送風機室Ｓ１側の端部が送風機室側前板５５の機械室Ｓ２側の端部に固定され、その背面側の端部が機械室側側板５４の前面側の端部に固定されている。
【００４３】
天板５７は、ユニットケーシング５１の天面部分を構成する鋼製の板状部材である。天板５７は、送風機室側板５３や機械室側側板５４、送風機室側前板５５に固定されている。
【００４４】
仕切板５８は、底フレーム５２上に配置される上下方向に延びる鋼製の板状部材である。仕切板５８は、ここでは、ユニットケーシング５１の内部を左右に分割することによって、左側面寄りの送風機室Ｓ１と、右側面寄りの機械室Ｓ２とを形成している。仕切板５８は、その下部が底フレーム５２に固定され、その前面側の端部が送風機室側前板５５に固定され、その背面側の端部が室外熱交換器２３の機械室Ｓ２寄りの側端部まで延びている。
【００４５】
据付脚５９、６０は、ユニットケーシング５１の前後方向に延びる鋼製の板状部材である。据付脚５９、６０は、室外ユニット２の据付面に固定される部材である。ここでは、室外ユニット２は、２つの据付脚５９、６０を有しており、１つは、送風機室Ｓ１寄りに配置された送風機室側据付脚５９であり、もう１つは、機械室Ｓ２寄りに配置された機械室側据付脚６０である。
【００４６】
室外ファン３６は、複数の翼を有するプロペラファンであり、送風機室Ｓ１内において、室外熱交換器２３の前面側の位置に、ユニットケーシング５１の前面（ここでは、ファン吹出口５５ａ）に対向するように配置されている。室外ファン用モータ３７は、送風機室Ｓ１内において、室外ファン３６と室外熱交換器２３との前後方向間に配置されている。室外ファン用モータ３７は、底フレーム５２上に載置された鋼製のモータ支持台６１によって支持されている。そして、室外ファン３６は、室外ファン用モータ３７に軸支されている。
【００４７】
室外熱交換器２３は、平面視略Ｌ字形状の熱交換器パネルであり（図５及び図７においては、平面視直線形状で図示している）、送風機室Ｓ１内において、ユニットケーシング５１の側面（ここでは、左側面）及び背面に対向するように底フレーム５２上に載置されている。具体的には、室外熱交換器２３は、図５及び図６に示すように、主として、扁平多穴管からなる伝熱管２３１と、多数の差込フィン２３２とにより構成された差込フィン式のオールアルミ熱交換器である。扁平多穴管からなる伝熱管２３１は、上記のように、アルミニウムまたはアルミニウム合金で形成されており、伝熱面となる上下の平面部と、冷媒が流れる多数の小さな冷媒流路２３１ａを有している。伝熱管２３１は、平面部を上下に向けた状態で、間隔をあけて複数段配列されており、その両端がヘッダ２３３、２３４に接続されている。ヘッダ２３３、２３４は、上下方向に延びるアルミニウム製またはアルミニウム合金製の中空筒状部材であり、伝熱管２３１を流れる冷媒を分岐させたり合流させる機能を有している。差込フィン２３２は、アルミニウム製またはアルミニウム合金製のフィンであり、伝熱管２３１に接している。両ヘッダ２３３、２３４の間に配列された複数段の伝熱管２３１に対して差込フィン２３２を差し込めるように、差込フィン２３２には、水平に細長く延びる複数の切り欠き２３２ａが形成されている。これらの差込フィン２３２の切り欠き２３２ａの形状は、伝熱管２３１の断面の外形にほぼ一致している。ヘッダ２３３、２３４は、伝熱管２３１を支持する機能と、冷媒を伝熱管２３１の冷媒流路２３１ａに導く機能と、冷媒流路２３１ａから出てきた冷媒を集合させる機能とを有している。これらのヘッダ２３３、２３４には、伝熱管２３１のほかに、第２ガス冷媒管３３及び液冷媒管３５（図５には図示せず）が接続されている。尚、室外熱交換器２３は、差込フィン式の積層型熱交換器に限定されるものではなく、例えば、図７に示すように、扁平多穴管からなる複数の伝熱管２３１と多数の波形フィン２３５とにより構成された波形フィン式のオールアルミ熱交換器であってもよい。ここで、波形フィン２３５は、波形に折り曲げられたアルミニウム製又はアルミニウム合金製のフィンである。波形フィン２３５は、上下に隣接する伝熱管２３１に挟まれた通風空間に配置されており、その谷部及び山部が伝熱管２３１の平面部と接触している。そして、室外熱交換器２３の上端部２３ａ（ここでは、ユニットケーシング５１の背面に対向する部分の左右方向中央付近の上端部）は、この上端部２３ａの近傍に配置されるモータ支持台６１の室外熱交上端近傍部６２によって支持されている。
【００４８】
圧縮機２１は、ここでは、縦型円筒形状の密閉式圧縮機であり、機械室Ｓ２内において、底フレーム５２上に載置されている。
【００４９】
以上のように、室外ユニット２では、室外ファン３６を駆動する室外ファンモータ３７がモータ支持台６１によって支持されており、このモータ支持台６１の上端部である室外熱交上端近傍部６２が室外熱交換器２３の上端部２３ａを支持する構造を有している。
【００５０】
＜モータ支持台による室外熱交換器の上端部の支持構造＞
上記のような基本構造を有する室外ユニット２においては、室外熱交換器２３がアルミニウム製であるのに対してモータ支持台６１が鋼製であるため、モータ支持台６１の室外熱交上端近傍部６２と室外熱交換器２３の上端部２３ａとの接触によって、室外熱交換器２３の電解腐食が発生するおそれがある。
【００５１】
そこで、ここでは、まず、図８に示すように、このような室外熱交換器２３の電解腐食に対して、モータ支持台６１の室外熱交上端近傍部を室外熱交換器２３の上端部２３ａとの上下方向間に隙間Ｃ１が形成されるように配置するようにしている。ここで、モータ支持台６１は、主として、室外熱交上端近傍部６２と、室外ファン用モータ３７を支持するファンモータ支持部６３と、底フレーム５２上に支持される底フレーム固定部６４と、室外熱交上端近傍部６２、ファンモータ支持部６３及び底フレーム固定部６４間を連結する上下方向に延びる支持棒部６５、６６とを有している。そして、室外熱交上端近傍部６２は、室外熱交換器２３の上端部２３ａの上面に対向する上面部６２ａと、上面部６２ａから下方に向かって延びており室外熱交換器２３の上端部２３ａの前面及び後面に対向する１対の側面部６２ｂ、６２ｃとを有している。この上面部６２ａの下面と室外熱交換器２３の上端部２３ａの上面との上下方向間に隙間Ｃ１が形成された状態にしている。
【００５２】
しかし、上記のように、室外熱交換器２３の電解腐食に対して、モータ支持台６１の室外熱交上端近傍部と室外熱交換器２３の上端部２３ａとの間に隙間Ｃ１を空けると、室外ユニット２の輸送時等において、室外熱交換器２３の上下方向の振動が発生するおそれがある。
【００５３】
そこで、ここでは、室外熱交上端近傍部６２と室外熱交換器２３の上端部２３ａとの間には、隙間Ｃ１を埋めるために電気絶縁性を有する弾性部材６７を設けるようにしている。すなわち、モータ支持台６１の上面部６２ａの下面と室外熱交換器２３の上端部２３ａの上面との上下方向間に弾性部材６７を設けている。
【００５４】
このため、ここでは、モータ支持台６１の室外熱交上端近傍部６２と室外熱交換器２３の上端部２３ａとの接触を防ぎつつ、弾性部材６７を介してモータ支持台６１の室外熱交上端近傍部６２によって室外熱交換器２３の上端部２３ａの上下方向の移動を抑えることができる。
【００５５】
これにより、ここでは、室外熱交換器２３の電解腐食、及び、室外熱交換器２３の上下方向の振動の両方を抑制することができる。
【００５６】
また、ここでは、図８に示すように、弾性部材６７が、モータ支持台６１の上面部６２ａの下面と室外熱交換器２３の上端部２３ａの上面との上下方向間において、いくらか圧縮された状態で設けられている。すなわち、弾性部材６７として、上下方向に圧縮荷重が作用していない状態では、隙間Ｃ１の上下方向距離よりも大きい上下方向寸法を有するものを使用している。
【００５７】
これにより、ここでは、弾性部材によって隙間Ｃ１が確実に埋められた状態になるため、室外熱交換器２３の上下方向の移動を確実に抑えることができる。
【００５８】
また、ここでは、ゴム製の弾性部材６７を使用している。
【００５９】
これにより、ここでは、ゴム製の弾性部材６７の変形を利用することができるため、室外熱交換器２３の上端部２３ａの上下方向の振動の抑制とともに、室外熱交換器２３の上端部２３ａの変形、すなわち、伝熱管２３１や伝熱フィン２３２、２３５の変形を十分に抑制することができる。
【００６０】
また、ここでは、図８に示すように、室外熱交上端近傍部６２の上面部６２ａが天板５７によって上方に移動しないように支持されている。
【００６１】
これにより、ここでは、室外熱交上端近傍部６２の上側への移動を制限することができ、室外熱交換器２３の上下方向の振動の抑制に寄与している。
【００６２】
また、ここでは、図８に示すように、室外熱交上端近傍部６２の１対の側面部６２ｂ、６２ｃを、室外熱交換器２３の上端部２３ａとの前後方向間に隙間Ｃ２、Ｃ３が形成されるように配置している。すなわち、１対の側面部６２ｂ、６２ｃの前後方向間の間隔を室外熱交換器２３の上端部２３ａの前後方向幅よりも大きくするとともに、室外熱交換器２３の上端部２３ａが１対の側面部６２ｂ、６２ｃのいずれにも接触しないように配置している。
【００６３】
これにより、ここでは、室外熱交上端近傍部６２と室外熱交換器２３の上端部２３ａの前面及び後面との前後方向間の接触も防ぐことができる。
【００６４】
また、ここでは、図８に示すように、弾性部材６７が、１対の側面部６２ｂ、６２ｃの前後方向間に挟まれた状態で室外熱交上端近傍部６２に保持されている。すなわち、弾性部材６７の前後方向幅を室外熱交換器２３の上端部２３ａの前後方向幅よりも大きくして、１対の側面部６２ｂ、６２ｃの前後方向間に挟むことができる寸法（１対の側面部６２ｂ、６２ｃの前後方向幅と同じ寸法、又は、これに前後方向の圧縮代を含めた寸法）にしている。
【００６５】
これにより、ここでは、室外熱交上端近傍部６２が、室外熱交換器２３の上端部２３ａの上面との上下方向間の接触を防ぎつつ上下方向の移動を抑えるとともに、室外熱交換器２３の上端部２３ａの前面及び後面との前後方向間の接触を防ぎつつ前後方向の移動を抑えることができる。特に、ここでは、上記のように、弾性部材６７が、モータ支持台６１の上面部６２ａの下面と室外熱交換器２３の上端部２３ａの上面との上下方向間において、いくらか圧縮された状態で設けられているため、弾性部材６７の前後方向の移動を確実に抑えることができる。
【００６６】
また、ここでは、図８に示すように、室外熱交上端近傍部６２は、１対の側面部６２ｂ、６２ｃよりも背面側に、上面部６２ａから下方に向かって延びる背面部６２ｄをさらに有している。そして、背面部６２ｄは、天板５７の周縁を下方に折り返した周縁部によって背面側に移動しないように支持されている。
【００６７】
これにより、ここでは、室外熱交上端近傍部６２の背面側への移動を制限することができ、室外熱交換器２３の前後方向の移動の抑制に寄与している。
【００６８】
＜底フレームによる室外熱交換器の下端部の支持構造＞
上記のような基本構造を有する室外ユニット２においては、室外熱交換器２３がアルミニウム製であるのに対して底フレーム５２が鋼製であるため、底フレーム５２と室外熱交換器２３の下端部との接触によっても、室外熱交換器２３の電解腐食が発生するおそれがある。
【００６９】
そこで、ここでは、図４に示すように、室外熱交換器２３の下端部と底フレーム５２との上下方向間に電気絶縁性を有する熱交受け部材６８〜７０を設けるようにしている。ここで、熱交受け部材６８は、ヘッダ２３３の下端部と底フレーム５２の背面側右寄りの部分との上下方向間に配置され、熱交受け部材６９は、ヘッダ２３４の下端部と底フレーム５２の前面側左寄りの部分との上下方向間に配置され、熱交受け部材７０は、室外熱交換器２３のＬ字形状の角部と底フレーム５２の背面側左寄りの部分との上下方向間に配置されている。尚、熱交受け部材６８〜７０の配置は、これに限定されるものではない。
【００７０】
これにより、ここでは、底フレーム５２と室外熱交換器２３の下端部との接触を防ぎ、室外熱交換器２３の電解腐食をさらに抑制することができる。また、ここで、熱交受け部材６８〜７０として、上記の弾性部材６７と同様の素材を使用することによって、室外熱交換器２３の下端部の上下方向の振動の抑制や、室外熱交換器２３の下端部の変形の抑制にも寄与することができる。
【産業上の利用可能性】
【００７１】
本発明は、オールアルミ熱交換器を室外熱交換器として使用する空気調和装置の室外ユニットに対して、広く適用可能である。
【符号の説明】
【００７２】
２                室外ユニット
２３              室外熱交換器
２３ａ            上端部
３６              室外ファン
３７              室外ファン用モータ
６１              モータ支持台
６２              室外熱交上端近傍部
６２ａ            上面部
６２ｂ、６２ｃ    １対の側面部
６７              弾性部材
２３１            伝熱管
２３２、２３５    伝熱フィン
Ｃ１、Ｃ２、Ｃ３  隙間
【先行技術文献】
【特許文献】
【００７３】
【特許文献１】特開２００９−１３８９５０号公報
【特許文献２】特開２００９−２８１６９３号公報
【図１】
2014240712.tif 000003
【図２】
2014240712.tif 000004
【図３】
2014240712.tif 000005
【図４】
2014240712.tif 000006
【図５】
2014240712.tif 000007
【図６】
2014240712.tif 000008
【図７】
2014240712.tif 000009
【図８】
2014240712.tif 000010